(57)【要約】【課題】蛍光管用安定器に直接接続可能な小型の整流回路を提供する。【解決手段】複数のダイオードから構成されるブリッジ回路に、蛍光管用安定器からの蛍光管動作用電源と、蛍光管内部電極予熱・放電開始用回路を接続し、蛍光管電極予熱・放電開始用回路が受動素子からなる回路の場合は、電位差の極めて小さい電圧を蛍光管電極蛍光管電極予熱・放電開始用回路へ供給することで蛍光管電極蛍光管電極予熱・放電開始用回路の動作を抑止し、蛍光管電極予熱・放電開始用回路が能動素子からなる回路の場合は、蛍光管電極予熱・放電開始用回路の負荷として機能することを可能とする。【選択図】      図１
2014072109.tif 000002
【特許請求の範囲】
【請求項１】
少なくとも２系統の交流電圧を整流化させる複数のブリッジ回路と、前記複数のブリッジ回路により得られる直流電圧に対する過電圧保護回路と、前記複数のブリッジ回路により得られる直流電圧を平滑化する平滑回路と、を具備し、前記複数のブリッジ回路の各入力端子は独立し、前記複数のブリッジ回路の各第１の出力端子がそれぞれ接続され、前記複数のブリッジ回路の各第２の出力端子がそれぞれ接続され、前記過電圧保護回路の第１の入力端子は、前記複数のブリッジ回路の各第１の出力端子にそれぞれ接続され、前記過電圧保護回路の第２の入力端子は、前記複数のブリッジ回路の各第２の出力端子にそれぞれ接続され、前記過電圧保護回路の第１の出力端子は、前記平滑回路の第１の入力端子に接続され、前記過電圧保護回路の第２の出力端子は、前記平滑回路の第２の入力端子に接続され、前記平滑回路の第１の出力端子は第１の出力端子に接続され、前記平滑回路の第２の出力端子は第２の出力端子に接続されることを特徴とする整流回路。
【請求項２】
前記複数のブリッジ回路の前記複数の入力端子のうちの１系統に、第１の電圧と第２の電圧を有する交流電圧が印加され、前記複数のブリッジ回路の前記複数の入力端子のうちの別の１系統に、第３の電圧と第４の電圧を有する交流電圧が印加されることを特徴とする請求項１の整流回路。
【請求項３】
前記複数のブリッジ回路の前記複数の入力端子のうち少なくとも１系統には交流電圧が印加され、前記ブリッジ回路の前記複数の入力端子の内の残りの系統には受動回路素子のみから構成される受動回路が接続され、前記ブリッジ回路から前記受動回路へは電位を供給しないことを特徴とする請求項１の整流回路。
【発明の詳細な説明】
【技術分野】
【０００１】
本発明では、この蛍光管固有の電極加熱用回路を含む蛍光管用安定器と共用しても問題が生じないＬＥＤ（Ｌｉｇｈｔ  Ｅｍｉｔｔｉｎｇ
Ｄｉｏｄｅ）を使用した照明器具（以下、ＬＥＤ照明具）用整流回路に関するものである。
【背景技術】
【０００２】
従来から使用されている蛍光管を使用した照明機器では、蛍光管を確実に発光させるため蛍光管内部電極間で放電を開始し、更にその発光状態を維持するため蛍光管内部電極間の放電の安定を維持する目的で、蛍光管用安定器が使用されている。
【０００３】
蛍光管を使用した照明機器は歴史が古く、このため多種多様な方式の蛍光管用安定器が開発され実用化されている。
【０００４】
蛍光管用安定器は、磁気式安定器と電子式安定器に２種類に分類され、更に磁気式安定器はスタータ式安定器とラピッドスタート式安定器に分類される。
【０００５】
スタータ式安定器やラピッドスタート式安定器、あるいは電子式安定器共に、基本的には蛍光管内部電極から電子を放出し易くするために蛍光管内部電極を予熱することで、蛍光管内部電極から電子を放出させグロー放電を発生させ、さらに蛍光管内部電極に流れる電流を増加させアーク放電に移行させ、蛍光管を消灯状態から点灯状態へ遷移させる。
【０００６】
蛍光管内部電極間で放電が始まると、蛍光管内部電極の放電による発熱で蛍光管内部電極が加熱され続けるため、蛍光管内部電極での放電が容易となり、放電が継続し、蛍光管動作用電源を遮断するまでは、蛍光管内部電極間の放電は継続する。
【０００７】
電気回路として蛍光管を見ると、蛍光管が消灯状態では、蛍光管内部電極間で放電が生じていないため、蛍光管内部電極間のインピーダンスは極めて高い状態となる。
【０００８】
一方、蛍光管が点灯状態では、蛍光管内部電極間で放電が生じており、これにより蛍光管内部電極間で電流の流れる経路が構成され、蛍光管内部電極間のインピーダンスは低い状態となる。
【０００９】
スタータ式安定器では、点灯管や電子スタータを使用し、蛍光管内部電極を予熱し、その後蛍光管内部電極間に一時的に高電位差の電圧を印加して、蛍光管を点灯状態へと移行させる。
【００１０】
蛍光管を点灯させる時には、蛍光管用安定器から蛍光管の発光に必要な動作電流と動作電圧を蛍光管に印加するが、蛍光管内部電極間のインピーダンスが点灯管または電子スタータの電極間のインピーダンスより高いため、蛍光管用安定器からの電流が点灯管または電子スタータへ流れ、点灯管または電子スタータによる閉回路が構成される。
【００１１】
この蛍光管用安定器から点灯管または電子スタータを経由して流れる電流により蛍光管内部電極が予熱され、その後点灯管であればバイメタルの特性により、電子スタータであれば電子回路動作として構成されている閉回路を解放することで、蛍光管用安定器に内蔵されているコイルの自己誘導作用により発生した高電圧を蛍光管内部電極へ印加することにより蛍光管内部電極間で放電が開始される。
【００１２】
蛍光管内部電極間で放電が開始すると、蛍光管内部電極間に電流経路が構成され、点灯状態の蛍光管内部電極間のインピーダンスは点灯管または電子スタータの電極間のインピーダンスより低くなるため、点灯管または電子スタータへの電流の流入が無くなり、点灯管あるいは電子スタータの動作が停止する。
【００１３】
電子式安定器では、供給される商用電源を安定器内部で直流に変換し、次に高周波の交流に変換すると共に、蛍光管を点灯させる時は、蛍光管内部電極に接続される外部容量を充電し、この充電電流で蛍光管内部電極を予熱する。
【００１４】
外部容量への充電が終了し充電電流が流れなくなると、蛍光管用安定器内部のコイルのインダクタと外部容量とで構成されるＬＣ直列回路のＬＣ直列共振現象により発生する高電圧を蛍光管内部電極へ印加することにより蛍光管内部電極間で放電が開始される。
【先行技術文献】
【特許文献】
【００１５】
【特許文献１】特開平０８−１４９８１１
【特許文献２】特開２００６−２１１８６７
【発明の概要】
【発明が解決しようとする課題】
【００１６】
近年省電力化のため注目されているＬＥＤ照明具は、消灯状態以外の点灯状態または消灯状態から点灯状態への遷移状態を含めて、定電流負荷である。
【００１７】
このためＬＥＤ照明具を、蛍光管を使用した照明機器に接続する場合、蛍光管のような蛍光管内部電極の予熱並びに放電開始動作を必要としない。そのため、ＬＥＤ照明具を従来の蛍光管用安定器と共用した場合、蛍光管を点灯させるための蛍光管内部電極予熱・放電開始用回路が動作上問題となる。
【００１８】
例えば、蛍光管内部電極予熱・放電開始用回路が常時動作してしまったり、蛍光管内部電極予熱・放電開始用回路の出力が解放状態あるいは無負荷状態で動作させたりする等である。
【００１９】
これらは、いずれも蛍光管内部電極予熱・放電開始用回路に対して過大な負荷となり、蛍光管内部電極予熱・放電開始用回路を含む蛍光管用安定器本体の著しい発熱や故障あるいは劣化の促進の原因となる。
【００２０】
この問題に対して磁気式安定器であれば、点灯管や電子スタータへの接続を絶ち点灯管や電子スタータを動作させない等の対策が考えられる。同様に電子式安定器であれば、蛍光管内部電極予熱・放電開始用回路にダミー負荷を接続する等の対策が考えられる。
【００２１】
蛍光管の多くは４入力端子であり、このうち２端子が蛍光管内部の一方の内部電極に接続され、残りの２端子が蛍光管内部の他方の内部電極に接続されている。
【００２２】
蛍光管内部の一方の内部電極に接続されている２端子のうちの一方の端子が蛍光管動作用電源に接続され、他方の端子が蛍光管内部電極予熱・放電開始用回路に接続されることとなる。
【００２３】
しかし、蛍光管内部電極は極性の無い電気素子であるため、蛍光管に接続するコネクタの２端子のうち、どちらの端子が蛍光管用安定器の蛍光管動作用電源へ接続されているか、あるいはどちらの端子が蛍光管内部電極予熱・放電開始用電源であるかは、照明機器毎に異なる。
【００２４】
このため、蛍光管を使用していた照明機器にＬＥＤ照明具を接続する場合、蛍光管用安定器からのソケットに設けられている端子のどの端子をＬＥＤ照明具に使用すれば良いかは、専門的知識が必要となってしまう。
【００２５】
このため、ＬＥＤ照明具で問題となる蛍光管用安定器をバイパスする必要が生じ、専門の知識・資格を有する者による工事が必要となり、ＬＥＤ照明具の普及を妨げることとなっている。
【課題を解決するための手段】
【００２６】
本発明は、蛍光管用安定器に直接接続しても、蛍光管安定器の誤動作や過負荷とならずに安定した整流効果を得ることの出来る整流回路を構成することに関する。
【００２７】
複数のダイオードＤ１、Ｄ２、Ｄ３、Ｄ４、Ｄ５、Ｄ６、Ｄ７、Ｄ８から構成される複数のダイオードブリッジ回路に、蛍光管用安定器からの蛍光管動作用電源出力端子と、蛍光管内部電極予熱・放電開始用回路出力端子を接続し、蛍光管内部電極予熱・放電開始用回路が受動素子からなる回路の場合、蛍光管内部電極予熱・放電開始用回路へは高抵抗状態の端子として機能し、蛍光管内部電極予熱・放電開始用回路が能動素子からなる回路の場合、蛍光管内部電極予熱・放電開始用回路の負荷として機能することを可能とする整流回路を提供する。
【００２８】
図１において、ダイオードＤ１のアノード端子とダイオードＤ２のカソード端子は外部交流端子ＡＣ０＋に接続され、ダイオードＤ３のアノード端子とダイオードＤ４のカソード端子は外部交流端子ＡＣ０−に接続され、ダイオードＤ５のアノード端子とダイオードＤ６のカソード端子は外部交流端子ＡＣ１＋に接続され、ダイオードＤ７のアノード端子とダイオードＤ８のカソード端子は外部交流端子ＡＣ１−に接続される。
【００２９】
ダイオードＤ１、Ｄ３、Ｄ５、Ｄ７の各アノード端子は、ダイオードＤ２、Ｄ４、Ｄ６、Ｄ８の各カソード端子にそれぞれ接続され、ダイオードＤ１、Ｄ３、Ｄ５、Ｄ７の各カソード端子は全て過電圧保護回路１の高電位側入力端子へ接続され、ダイオードＤ２、Ｄ４、Ｄ６、Ｄ８の各アノード端子は過電圧保護回路１の低電位側入力端子へ接続される。
【００３０】
過電圧保護回路１の高電位側出力端子は平滑回路２の高電位側入力端子に接続され、過電圧保護回路１の低電位側出力端子は平滑回路２の低電位側入力端子に接続される。
【００３１】
平滑回路２の高電位側出力端子は整流回路の高電位側直流出力端子ＤＣ＋に接続され、平滑回路２の低電位側出力端子は整流回路の低電位側直流出力端子ＤＣ−に接続される。
【００３２】
高電位側直流出力端子ＤＣ＋と低電位側直流出力端子ＤＣ−には、ＬＥＤ回路を含む負荷回路４が接続される。
【発明の効果】
【００３３】
本発明の整流回路をＬＥＤ照明具に使用すれば、従来から行われていた蛍光管が故障し交換するのと同一の作業内容で、照明機器に使用されている蛍光管を、ＬＥＤ照明具へ変更することができるため、専門的な知識や資格を有しない人でも、容易に交換を行うことが可能であり、省エネルギー効果の高い照明器具への置き換えを促進することとなり、より省電力化の促進を図るものである。
【図面の簡単な説明】
【００３４】
【図１】本発明の整流回路を使用した電源回路の例。
【図２】本発明の整流回路を最も少ない部品で構成した電源回路の例。
【図３】本発明の整流回路を使用した電源回路をスタータ式安定器に使用した例。
【図４】本発明の整流回路を使用した電源回路をラビッドスタート式安定器に使用した例。
【図５】本発明の整流回路を使用した電源回路を電子式安定器に使用した例。
【発明を実施するための形態】
【００３５】
以下、本発明の好適な実施の形態についての詳細な説明を、図を用いて説明する。なお以下に説明する本実施形態は、特許請求の範囲に記載された本発明の内容を不当に限定するものではなく、本実施形態で説明される構成の全てが本発明の解決手段として必須であるとは限らない。
【実施例】
【００３６】
図２は本発明の整流回路を全波整流回路として構成した例である。過電圧保護回路として、印加される電圧により抵抗値が変化する素子ＺＤ１を複数のダイオードブリッジ回路の高電位側出力端子と低電位側出力端子間に接続し、さらに複数のダイオードブリッジ回路の出力電圧を平滑化する容量Ｃ１が複数のダイオードブリッジ回路の高電位側出力端子と低電位側出力端子間に接続され、複数のダイオードブリッジ回路の高電位側出力端子が高電位側直流出力端子ＤＣ＋に低電位側出力端子が低電位側直流出力端子ＤＣ−に接続され、負荷回路４へ供給される。
【００３７】
スタータ式安定器または、ラビッドスタート式安定器または、電子式安定器のいずれにおいても、外部安定器からの蛍光管動作用電源出力端子は、外部交流端子ＡＣ０＋と外部交流端子ＡＣ０−に接続される。
【００３８】
スタータ式安定器の場合、点灯管または電子点灯管は外部交流端子ＡＣ１＋と外部交流端子ＡＣ１−に接続され、ラビッドスタート式安定器の場合、蛍光管内部電極の予熱用回路が外部交流端子ＡＣ１＋と外部交流端子ＡＣ１−に接続され、電子式安定器の場合、外部容量が外部交流端子ＡＣ１＋と外部交流端子ＡＣ１−に接続される。
【００３９】
スタータ式安定器またはラビッドスタート式安定器または電子式安定器のいずれにおいても、ダイオードＤ１、Ｄ２、Ｄ５、Ｄ６によりスタータ式安定器またはラビッドスタート式安定器または電子式安定器からの蛍光管動作用電源出力電圧が全波整流されて、高電位側直流出力端子ＤＣ＋と低電位側直流出力端子ＤＣ−に接続された平滑用容量Ｃ１により平滑化され高電位側直流出力端子ＤＣ＋と低電位側直流出力端子ＤＣ−から出力される。
【００４０】
図２において過電圧保護素子ＺＤ１の急峻に抵抗値が変化する電圧は、外部交流端子ＡＣ＋と外部交流端子ＡＣ−を全波整流して得られる最大電圧と同じかあるいは少し高めに設定されている。
【００４１】
図３は、本発明の整流回路がスタータ式安定器に接続された場合である。
【００４２】
外部交流端子ＡＣ０＋と外部交流端子ＡＣ０−にはスタータ式安定器から蛍光管用動作電源電圧が印加され、
外部交流端子ＡＣ１＋と外部交流端子ＡＣ１−には外部容量６と点灯管あるいは電子点灯管７が接続される。
【００４３】
外部交流端子ＡＣ０＋と外部交流端子ＡＣ０−に印加される蛍光管用動作電源電圧は、図２のダイオードＤ１、Ｄ２、Ｄ５、Ｄ６により全波整流されて、図２の高電位側直流出力端子ＤＣ＋と低電位側直流出力端子ＤＣ−に接続された平滑用容量Ｃ１により平滑化され、高電位側直流出力端子ＤＣ＋と低電位側直流出力端子ＤＣ−から出力される。
【００４４】
図２の過電圧保護素子ＺＤ１は、印加される電圧が外部交流端子ＡＣ＋と外部交流端子ＡＣ−を全波整流した電圧であるため抵抗値が高いままであり、この過電圧保護素子を介して電流は流れない。
【００４５】
外部交流端子ＡＣ１＋と外部交流端子ＡＣ１−には外部容量６と点灯管あるいは電子点灯管７が接続されているため、外部交流端子ＡＣ１＋と外部交流端子ＡＣ１−に交流電圧が印加されず、図２のダイオードＤ５、Ｄ６、Ｄ７、Ｄ８のアノード端子とカソード端子のいずれにも逆方向電圧が印加されているため非導通であり、外部交流端子ＡＣ１＋と外部交流端子ＡＣ１−は高抵抗状態となるため、外部容量６と点灯管あるいは電子点灯管７は動作しない。
【００４６】
外部交流端子ＡＣ０＋と外部交流端子ＡＣ１＋が入れ替わり、外部交流端子ＡＣ１＋に外部蛍光管安定器の蛍光管動作用出力電圧が接続され、外部交流端子ＡＣ０＋に外部容量６と点灯管または電子点灯管７の一方の端子が接続されても回路の動作は同一である。
【００４７】
外部交流端子の入れ替わりに関しては、外部交流端子ＡＣ０−、ならびに外部交流端子ＡＣ１−についても同様である。
【００４８】
図４は、本発明の整流回路がラピッドスタート式安定器に接続された場合である。
【００４９】
外部交流端子ＡＣ０＋と外部交流端子ＡＣ０−には蛍光管用動作電源電圧が印加され、 外部交流端子ＡＣ１＋と外部交流端子ＡＣ１−には蛍光管内部電極予熱・放電開始用回路出力が接続される。
【００５０】
蛍光管用動作電源電圧は、図２のダイオードＤ１、Ｄ２、Ｄ５、Ｄ６により全波整流されて、図２の高電位側直流出力端子ＤＣ＋と低電位側直流出力端子ＤＣ−に接続された平滑用容量Ｃ１により平滑化され、高電位側直流出力端子ＤＣ＋と低電位側直流出力端子ＤＣ−から出力される。
【００５１】
蛍光管内部電極予熱・放電開始用回路出力電圧は、図２のダイオードＤ３、Ｄ４、Ｄ７、Ｄ８により全波整流されて、図２の高電位側直流出力端子ＤＣ＋と低電位側直流出力端子ＤＣ−に接続された平滑用容量Ｃ１により平滑化され、高電位側直流出力端子ＤＣ＋と低電位側直流出力端子ＤＣ−から出力される。
【００５２】
一般に、蛍光管内部電極予熱・放電開始用回路出力電圧は蛍光管の動作電圧より高いため、図２のダイオードＤ３、Ｄ４、Ｄ７、Ｄ８により全波整流された電圧は、図２のダイオードＤ１、Ｄ２、Ｄ５、Ｄ６により全波整流された蛍光管動作用電圧より高くなるが、図２のダイオードＤ１、Ｄ２、Ｄ５、Ｄ６の逆流阻止機能により蛍光管内部電極予熱・放電開始用回路出力電圧が蛍光管動作用電源へ逆流はしない。
【００５３】
このため、図２のダイオードＤ３、Ｄ４、Ｄ７、Ｄ８により全波整流された蛍光管内部電極予熱・放電開始用回路出力電圧は高電位側直流出力端子ＤＣ＋と低電位側直流出力端子ＤＣ−へ出力されることとなるが、図２の複数のダイオードブリッジ回路の高電位側直流出力端子ＤＣ＋と低電位側直流出力端子ＤＣ−に接続されている過電圧保護素子ＺＤ１により、この過電圧保護素子の設定電圧以上の電圧はクランプされることとなり、所定の電圧以下の電圧が高電位側直流出力端子ＤＣ＋と低電位側直流出力端子ＤＣ−から出力される。
【００５４】
外部交流端子ＡＣ０＋と外部交流端子ＡＣ１＋が入れ替わり、外部交流端子ＡＣ１＋に外部安定器の蛍光管発光用の出力が接続され、外部交流端子ＡＣ０＋に蛍光管内部電極予熱・放電開始用回路出力の一方の端子が接続されても回路の動作は同一である。
【００５５】
外部交流端子の入れ替わりに関しては、外部交流端子ＡＣ０−、ならびに外部交流端子ＡＣ１−についても同様である。
【００５６】
図５は、本発明の整流回路が電子式安定器に接続された場合である。
【００５７】
外部交流端子ＡＣ０＋と外部交流端子ＡＣ０−には蛍光管用動作電源電圧が印加され、 外部交流端子ＡＣ１＋と外部交流端子ＡＣ１−には外部容量１０が接続される。
【００５８】
蛍光管用動作電源電圧は、図２のダイオードＤ１、Ｄ２、Ｄ５、Ｄ６により全波整流されて、図２の高電位側直流出力端子ＤＣ＋と低電位側直流出力端子ＤＣ−に接続された平滑用容量Ｃ１により平滑化され、高電位側直流出力端子ＤＣ＋と低電位側直流出力端子ＤＣ−から出力される。
【００５９】
外部交流端子ＡＣ１＋と外部交流端子ＡＣ１−には外部容量１０が接続されているため、外部交流端子ＡＣ１＋と外部交流端子ＡＣ１−に交流電圧が印加されず、図２のダイオードＤ５、Ｄ６、Ｄ７、Ｄ８のアノード端子とカソード端子のいずれにも逆方向電圧が印加されているため非導通であるため、外部交流端子ＡＣ１＋と外部交流端子ＡＣ１−は高抵抗状態となるため、外部容量１０は電気的に動作しない。
【００６０】
外部交流端子ＡＣ０＋と外部交流端子ＡＣ１＋が入れ替わり、外部交流端子ＡＣ１＋に外部蛍光管安定器の蛍光管動作用出力電圧が接続され、外部交流端子ＡＣ０＋に外部容量１０の一方の端子が接続されても、回路の動作は同一である。
【００６１】
外部交流端子の入れ替わりに関しては、外部交流端子ＡＣ０−、ならびに外部交流端子ＡＣ１−についても同様である。
【００６２】
前記の如く本発明の回路では、外部交流端子ＡＣ０＋、外部交流端子ＡＣ０−、外部交流端子ＡＣ１＋、外部交流端子ＡＣ０−の任意の1対の外部交流端子を入れ替えても、整流回路としての動作は同一である。
【００６３】
蛍光管を使用した照明器具では、直管型の蛍光管であれば、外部交流端子ＡＣ０＋と外部交流端子ＡＣ１＋、また、外部交流端子ＡＣ０−と外部交流端子ＡＣ１−は物理的に離れており、入れ替わる外部交流端子は限定される。
【００６４】
また、管型の蛍光管であれば、端子が長辺と短辺からなる長方形の各頂点に配置されるような外部交流端子配列となっており、直管型の蛍光管と同様に、入れ替わる外部交流端子は限定される。
【００６５】
本発明の整流回路においては、４つの電極の任意の電極が入れ替わっても、整流動作ならびに蛍光管内部電極予熱・放電開始用回路に対しての動作は同一である。そのため、本発明の蛍光管用安定器に接続しても、端子の入れ替わりに起因する問題は生じ得ない。
【００６６】
本発明の整流回路がスタータ式安定器あるいは電子式安定器のように受動素子により構成される蛍光管内部電極予熱・放電開始用回路が接続された場合、外部回路へは高抵抗状態としての動作となるため、これら蛍光管内部電極予熱・放電開始用回路は動作しない。
【００６７】
一方、本発明の整流回路がラビットスタート式安定器のように能動素子により構成される蛍光管内部電極予熱・放電開始用回路が接続された場合、一定の負荷として機能することとなる。
【００６８】
なお、上記のように本実施形態について詳細に説明したが、本発明の新規事項および効果から実体的に逸脱しない多くの変形が可能であることは、当業者ならびに有識者には容易に理解可能である。従って、このような変形例はすべて本発明の範囲に含まれるものとする。例えば、図１の過電圧保護素子に負荷素子を直列に接続する、あるいは、ブリッジ回路の各交流入力端子間に過電圧保護素子を接続するのも一例である。また、ブリッジ回路の構成個数についてもその数を限定するものではない。また、ブリッジ回路出力の平滑回路についても、インダクタを使用した回路あるいはインダクタとコンデンサを使用した回路に変更するのも一例である。更に、本実施形態で説明した変形例の組み合わせた構成についても、本発明の範囲に含むことができる。
【符号の説明】
【００６９】
ＡＣ０＋  交流入力端子
ＡＣ０−  交流入力端子
ＡＣ１＋  交流入力端子
ＡＣ１−  交流入力端子
ＤＣ＋    高電位側直流出力端子
ＤＣ−    低電位側直流出力端子
Ｄ１      ダイオード素子
Ｄ２      ダイオード素子
Ｄ３      ダイオード素子
Ｄ４      ダイオード素子
Ｄ５      ダイオード素子
Ｄ６      ダイオード素子
Ｄ７      ダイオード素子
Ｄ８      ダイオード素子
ＺＤ１    過電圧保護素子
Ｃ１      平滑用容量
１        過電圧保護回路
２        平滑回路
３        本発明の整流回路
４        本発明の整流回路の負荷回路
５        スタータ式安定器回路
６        キック電圧用コンデンサ
７        点灯管または電子点灯管
８        ラビッドスタート式安定器回路
９        電子式安定器回路
１０      外部コンデンサ
【図１】
2014072109.tif 000003
【図２】
2014072109.tif 000004
【図３】
2014072109.tif 000005
【図４】
2014072109.tif 000006
【図５】
2014072109.tif 000007